(57)【特許請求の範囲】
【請求項１】
コンテナ本体（1）に装着され、冷媒回路の構成機器を収納する収納空間としてコンテナ本体（1）の庫内側に形成された庫内収納空間（S2）とコンテナ本体（1）の庫外側に形成された庫外収納空間（S1）とを有するケーシング本体（11）と、庫内収納空間（S2）からコンテナ本体（1）の庫内へ向かって空気が流れる庫内空気流路（S3）を上記ケーシング本体（11）との間に区画する仕切板（14）とを備え、
上記ケーシング本体（11）は、庫内空気流路（S3）の出口部分の断面積が空気の流れ方向に沿って庫外収納空間（S1）側へ徐々に拡がる庫内流路拡大部（S4）を備え、上記出口部分が、上記庫内空気流路（S3）の下流側の出口端を含む部分であることを特徴とするコンテナ用冷凍装置。
【請求項２】
請求項１において、
上記庫内流路拡大部（S4）は、上記ケーシング本体（11）の高さ方向への寸法（H）が、該ケーシング本体（11）の奥行き方向への寸法（D）よりも大きいことを特徴とするコンテナ用冷凍装置。
【請求項３】
請求項１または２において、
上記ケーシング本体（11）が、庫内ケーシング（11a）と庫外ケーシング（11b）との二重構造に形成され、
上記庫内流路拡大部（S4）は、上記庫内ケーシング（11a）のみに傾斜部分（11d）を設けることにより構成されていることを特徴とするコンテナ用冷凍装置。
【請求項４】
請求項１から３の何れか１つにおいて、
上記庫内流路拡大部（S4）は、上記コンテナ本体（1）の庫内に設けられているＴレール（17）間の空気通路（19a）に対応するように、上記ケーシング本体（11）の幅方向に複数に分けて設けられていることを特徴とするコンテナ用冷凍装置。
【発明の詳細な説明】
【技術分野】
【０００１】
本発明は、コンテナ用冷凍装置に関し、特に、コンテナ用冷凍装置で冷却した空気をコンテナ本体の庫内空間へ供給する通路において圧力損失を低減する技術に関するものである。
【背景技術】
【０００２】
従来、海上輸送等に用いるコンテナ本体の内部を冷却するために、コンテナ用冷凍装置が用いられている（例えば、特許文献１参照）。
【０００３】
コンテナ用冷凍装置は、一端が開放されたコンテナ本体の開口部に設けられており、コンテナ本体の開口端部を閉塞するケーシングを有している。このケーシングの下部には、コンテナ本体の庫外に臨む庫外収納空間が形成されている。庫外収納空間内には、圧縮機、凝縮器、庫外ファン等が収容されている。
【０００４】
一方、ケーシングの上部には、コンテナ本体の庫内に臨む庫内収納空間が形成されている。庫内収納空間は、コンテナ本体の庫内空間に対して仕切板によって区画された空間である。庫内収納空間内には、庫内ファン、蒸発器等が配設されている。また、庫外収納空間の庫内側の壁面と上記仕切板との間には、庫内収納空間の蒸発器で冷却された庫内空気が流れる庫内空気流路が形成されている。
【０００５】
コンテナ用冷凍装置の運転時には、庫内ファンによってコンテナ本体の庫内の空気が庫内収納空間内に導かれ、蒸発器を通過する際に冷却される。冷却後の空気は庫内空気流路を通ってコンテナ本体の庫内へ再び送られる。以上のように、コンテナ用冷凍装置では、庫内空気を蒸発器で冷却しながら循環させることで、コンテナ庫内の冷蔵や冷凍を行うようにしている。
【先行技術文献】
【特許文献】
【０００６】
【特許文献１】特開２０１５−０７２１０３号公報
【発明の概要】
【発明が解決しようとする課題】
【０００７】
ところで、従来のコンテナ用冷凍装置では、蒸発器で冷却した空気が庫内空気流路から庫内空間へ流出する部分において圧力損失が大きい問題があった。このため、十分な風量を稼ぐためには、蒸発器に庫内空気を流す庫内ファンの動力が大きくなってしまう。逆に言うと、コンテナ用冷凍装置の消費電力を低減するために庫内ファンに必要な動力を低減しようとすると、蒸発器で冷却した空気が庫内空気流路から庫内空間へ流出する部分において圧力損失を低減することが必要になる。
【０００８】
また、庫内空気流路の先端（下端）よりも下方に湾曲形状のバッフルを設ける技術が知られている（中国実用新案公告第２０１３４３２６７号明細書）が、この技術はコンテナ本体にバッフルを設ける構造であってコンテナ本体の構造を変える必要があり、コンテナ用冷凍装置だけでは圧力損失を軽減することができない問題があった。
【０００９】
本発明は、このような問題点に鑑みてなされたものであり、その目的は、蒸発器で冷却した空気が庫内空気流路から庫内空間へ流出する部分において圧力損失を低減し、庫内ファンに必要な動力を低減することにより、コンテナ本体の構造を変えずにコンテナ用冷凍装置の消費電力を低減することである。
【課題を解決するための手段】
【００１０】
第１の発明は、コンテナ本体（1）に装着され、冷媒回路の構成機器を収納する収納空間としてコンテナ本体（1）の庫内側に形成された庫内収納空間（S2）とコンテナ本体（1）の庫外側に形成された庫外収納空間（S1）とを有するケーシング本体（11）と、庫内収納空間（S2）からコンテナの庫内へ空気が流れる庫内空気流路（S3）を上記ケーシング本体（11）との間に区画する仕切板（14）とを備えたコンテナ用冷凍装置を前提としている。
【００１１】
そして、このコンテナ用冷凍装置は、上記ケーシング本体（11）が、庫内空気流路（S3）の出口部分の断面積が空気の流れ方向に沿って庫外収納空間（S1）側へ徐々に拡がる庫内流路拡大部（S4）を備え、上記出口部分が、上記庫内空気流路（S3）の下流側の出口端を含む部分であることを特徴としている。
【００１２】
この第１の発明では、庫内収納空間（S2）からコンテナの庫内へ空気が流れる際に、空気が庫内流路拡大部（S4）を通過する。そして、庫内流路拡大部（S4）を、庫内空気流路（S3）の出口部分の断面積が空気の流れ方向に沿って庫外収納空間（S1）側へ拡がる形状にしていて、流路の断面積が徐々に大きくなるので、圧力損失が低減される。
【００１３】
第２の発明は、第１の発明において、上記庫内流路拡大部（S4）の上記ケーシング本体（11）の高さ方向への寸法（H）が、該ケーシング本体（11）の奥行き方向への寸法（D）よりも大きいことを特徴としている。
【００１４】
この第２の発明では、庫内流路拡大部（S4）の傾斜が空気の流れ方向に沿って緩やかになるため、空気流が庫内流路拡大部（S4）から剥離しにくくなり、圧力損失の低減効果を確実に得ることができる。
【００１５】
第３の発明は、第１または第２の発明において、上記ケーシング本体（11）が、庫内ケーシング（11a）と庫外ケーシング（11b）との二重構造に形成され、上記庫内流路拡大部（S4）が、上記庫内ケーシング（11a）のみに傾斜部分（11d）を設けることにより構成されていることを特徴としている。
【００１６】
この第３の発明では、庫内収納空間（S2）からコンテナの庫内へ空気が流れる際に、空気は、二重構造のケーシング本体（11）のうちの庫内ケーシング（11a）に形成された庫内流路拡大部（S4）を圧力損失が大きくなるのを抑えつつ通過する。
【００１７】
第４の発明は、第１から第３の発明の何れか１つにおいて、上記庫内流路拡大部（S4）が、上記コンテナ本体（1）の庫内に設けられているＴレール（17）間の空気通路（19a）に対応するように、上記ケーシング本体（11）の幅方向に複数に分けて設けられていることを特徴としている。
【００１８】
この第４の発明では、庫内流路拡大部（S4）を流れた空気が、Ｔレール（17）間の空気通路（19a）に流入し、庫内へ供給される。そして、庫内流路拡大部（S4）が、コンテナ本体（1）の庫内に設けられているＴレール（17）間の空気通路（19a）に対応するように、コンテナ本体（1）の幅方向に複数に分けて設けられているので、庫内流路拡大部（S4）から上記空気通路（19a）への空気の流入部における圧力損失を低減できる。
【発明の効果】
【００１９】
本発明によれば、庫内流路拡大部（S4）を、庫内空気流路（S3）の出口部分の断面積が空気の流れ方向に沿って庫外収納空間（S1）側へ拡がる形状にしていて、流路の断面積が徐々に大きくなるので、庫内収納空間（S2）からコンテナの庫内へ空気が流れる際の圧力損失を小さくすることができる。したがって、コンテナの本体側の構造を変えなくても、蒸発器（23）へ庫内空気を流す庫内ファンの動力が大きくなってしまうのを防止しつつ庫内の十分な風量を稼ぐことができるから、庫内ファンに必要な動力を低減してコンテナ用冷凍装置の消費電力を抑えることが可能になる。
【００２０】
上記第２の発明によれば、庫内流路拡大部（S4）の上記ケーシング本体（11）の高さ方向への寸法（H）を、ケーシング本体（11）の奥行き方向への寸法（D）よりも大きくし、庫内流路拡大部（S4）の傾斜を空気の流れ方向に沿って緩やかにしたことにより、空気流が庫内流路拡大部（S4）から剥離しにくくなり、圧力損失の低減効果を確実に得ることができる。したがって、庫内ファンに必要な動力を低減してコンテナ用冷凍装置の消費電力を抑える効果をより確実に得ることができる。
【００２１】
上記第３の発明によれば、ケーシング本体（11）を、庫内ケーシング（11a）と庫外ケーシング（11b）との二重構造に形成し、庫内流路拡大部（S4）を、上記庫内ケーシング本体（11）のみに傾斜部分（11d）を設けることにより構成しているので、庫外ケーシング（11b）の構造や、庫外収納空間（S1）に収納される機器の配置などに関して変更をする必要がなく、設計や製造に関する工数が増えるのを抑えられる。
【００２２】
上記第４の発明によれば、庫内流路拡大部（S4）を、コンテナ本体（1）の庫内に設けられているＴレール（17）間の空気通路（19a）に対応するように、ケーシング本体（11）の幅方向に複数に分けて設けているので、庫内流路拡大部（S4）から上記空気通路（19a）への空気の流入部における圧力損失を確実に低減できる。したがって、庫内ファンに必要な動力を低減してコンテナ用冷凍装置の消費電力を抑える効果を確実に得ることができる。
【図面の簡単な説明】
【００２３】
【図１】図１は、本発明の実施形態に係るコンテナ用冷凍装置及びコンテナ本体の縦断面概略図である。
【図２】図２は、図１のコンテナ用冷凍装置を外側から見た概略斜視図である。
【図３】図３は、コンテナの庫内を平面から視た部分断面図である。
【図４】図４は、図３の部分拡大図である。
【図５】図５は、図４のV−V線断面図である。
【図６】図６は、コンテナ用冷凍装置とＴレールを庫内側から視た斜視図である。
【図７】図７は、図６の部分拡大図である。
【図８】図８は、庫内流路拡大部の傾斜角度と庫内空気流路の圧力損失との関係を示すグラフである。
【発明を実施するための形態】
【００２４】
以下、本発明の実施形態を図面に基づいて詳細に説明する。
【００２５】
図１は、本発明の実施形態に係るコンテナ用冷凍装置及びコンテナ本体の縦断面概略図、図２は、図１のコンテナ用冷凍装置を外側から見た概略斜視図である。このコンテナ用冷凍装置（10）は、海上輸送等に用いられるコンテナの庫内を冷却するものである。上記コンテナ用冷凍装置（10）は、圧縮機（20）と凝縮器（21）と膨張弁（図示せず）と蒸発器（23）とを有して冷凍サイクル動作を行う冷媒回路（図示せず）を備えている。また、コンテナ用冷凍装置（10）は、コンテナ本体（1）の端部に装着されて該端部の開口面を閉塞する蓋体を兼ねている。
【００２６】
上記コンテナ用冷凍装置（10）のケーシング（13）は、コンテナ外である庫外側とコンテナ内である庫内側とを仕切るケーシング本体（11）、及びケーシング（13）の背面（庫内側）に設けられる仕切り板（14）等を備えている。
【００２７】
上記ケーシング本体（11）は、庫内ケーシング（11a）と庫外ケーシング（11b）との二重構造に形成されている。庫内ケーシング（11a）や庫外ケーシング（11b）は、ＦＲＰ（繊維強化プラスチック）やアルミニウムで制作されている。そして、上記庫内ケーシング（11a）と庫外ケーシング（11b）との間に発泡剤よりなる断熱層（11c）が形成されている。
【００２８】
さらに、上記ケーシング本体（11）の下部には、庫内側に膨出した膨出部（12）が形成されている。そして、上記膨出部（12）の内部空間（庫外側の空間）が庫外収納空間（S1）として構成される一方、上記ケーシング（13）の背面の上部には、膨出部（12）の上方に位置する庫内収納空間（S2）が形成されている。
【００２９】
上記庫外収納空間（S1）には、冷媒回路の構成機器である圧縮機（20）、凝縮器（21）及び庫外ファン（25）が収納されると共に、インバータボックス（電装品ボックス）（15）及びコントロールボックス（16）も収納されている。凝縮器（21）は、庫外収納空間（S1）の底面（13a）より上方に配置されている。庫外ファン（25）は、凝縮器（21）を通過する空気流れを形成するものである。凝縮器（21）は庫外ファン（25）の下方に配置されている。圧縮機（20）は、凝縮器（21）へ冷媒を送り出すものであって庫外収納空間（S1）の底面（13a）に設置されている。
【００３０】
上記圧縮機（20）は、その内部に、圧縮機構を駆動するモータ（図示省略）を有している。この圧縮機（20）のモータの回転数は、インバータによって多段階に制御される。つまり、圧縮機（20）は、運転回転数が可変に構成された可変容量圧縮機である。この圧縮機（20）に接続されて該圧縮機を可変容量制御する上記インバータ回路の基板等（図示せず）は、上記インバータボックス（15）に収納されている。
【００３１】
一方、庫内収納空間（S2）には、蒸発器（23）及び庫内ファン（26）が設けられている。庫内ファン（26）は蒸発器（23）へ庫内空気を供給し、蒸発器（23）は伝熱管を流れる冷媒が庫内空気から熱を奪って庫内空気を冷却する。また、上記膨出部（12）と仕切り板（14）との間は、庫内収納空間（S2）からコンテナの庫内へ向かって庫内空気が流れる庫内空気流路（S3）になっている。該庫内空気流路（S3）の上端は、庫内収納空間（S2）に連通する一方、下端が庫内に連通している。
【００３２】
コンテナの庫内を平面から視た部分断面図である図３、図３の部分拡大図である図４、及び図４のV−V線拡大断面図である図５に示すように、ケーシング本体（11）内には、Ｔレール（17）がコンテナの幅方向の全体にわたって等間隔で配置されている。そして、ケーシング本体（11）の底面（18）との間に隙間を存して位置するＴレール（17）のフランジ部（17a）により、ケーシング本体（11）の床板（19）が構成されている。ケーシング本体（11）の底面（18）と床板（19）との間には、隣り合うＴレール（17）とＴレール（17）の間に床下流路（空気通路）（19a）が形成されている。そして、上記庫内空気流路（S3）が図１に示すように床下流路（19a）と連通している。なお、ケーシング本体（11）には背面ステー（11e）が設けられている。
【００３３】
図１と、コンテナ用冷凍装置（10）とＴレール（17）を庫内側から仕切板（14）のない状態で視た斜視図である図６と、図６の部分拡大図である図７に示すように、上記ケーシング本体（11）には、庫内空気流路（S3）の出口部分の断面積が空気の流れ方向に沿って庫外収納空間（S1）側へ拡がる庫内流路拡大部（S4）が形成されている。この庫内流路拡大部（S4）は、上述したように二重構造になっているケーシング本体（11）の庫内ケーシング（11a）のみに傾斜部分（11d）を設けることにより構成されている。
【００３４】
この庫内流路拡大部（S4）は、図６，図７に示すように、Ｔレール（17）とＴレール（17）の間の床下流路（19a）に対応するように、上記コンテナ本体（1）の幅方向に複数に分けて設けられている。つまり、各庫内流路拡大部（S4）と各床下流路（19a）とが一対一で対応している。また、この庫内流路拡大部（S4）は、図１に示すように、上記ケーシング本体（11）の高さ方向への寸法（H）が、該ケーシング本体（11）の奥行き方向（D）への寸法よりも大きくなっている。この実施形態では、庫内流路拡大部（S4）の傾斜角度θが約１２°であり、奥行き方向への寸法（D）と高さ方向への寸法（H）の比率は、約１：４．５になっている。
【００３５】
上記庫内流路拡大部（S4）の傾斜角度θは、その角度と庫内空気流路（S3）の圧力損失との関係を示すグラフである図８に示すように、８°から２０°の範囲が圧力損失を小さくするうえで好ましく、特に傾斜角度θが約１２°であると最も効果が高いことに基づいて定めた値である。ケーシング本体（11）の大きさや庫内空気流路（S3）の形状、寸法などにより最適な値が多少は変化したとしても、ほぼ同様の傾向を示すと考えられる。
【００３６】
−運転動作−
このコンテナ用冷凍装置（10）では、圧縮機（20）、庫外ファン（25）及び庫内ファン（26）を起動することによって、運転が開始される。コンテナ用冷凍装置（10）の冷媒回路では、圧縮機（20）の吐出冷媒が凝縮器（21）へ送られる。この凝縮器（21）では、内部を流通する冷媒が庫外ファン（25）によって送られてくる庫外空気と熱交換する。その結果、冷媒が庫外空気に放熱して凝縮する。
【００３７】
凝縮器（21）で凝縮した冷媒は、膨張弁で減圧された後、蒸発器（23）へ送られる。この蒸発器（23）では、内部を流通する冷媒が庫内ファン（26）によって送られてくる庫内空気と熱交換する。その結果、冷媒は庫内空気から吸熱して蒸発し、庫内空気が冷却される。なお、庫内空気は、図１に示すように、仕切板（14）の上側から庫内収納空間（S2）に流入して蒸発器（23）を通過する。そして、蒸発器（23）で冷却された後に仕切板（14）の下側から庫内へ戻っていく。蒸発器（23）で蒸発した冷媒は、圧縮機（20）に吸入されて再び圧縮される。
【００３８】
この実施形態では、庫内収納空間（S2）からコンテナの庫内へ空気が流れる際に、空気が庫内流路拡大部（S4）を通過する。そして、庫内流路拡大部（S4）を、庫内空気流路（S3）の出口部分の断面積が空気の流れ方向に沿って庫外収納空間（S1）側へ拡がる形状にしていて、流路の断面積が徐々に大きくなるので、圧力損失が低減される。
【００３９】
また、この実施形態では、庫内流路拡大部（S4）の傾斜を空気の流れ方向に沿って緩やかな傾斜にしているため、空気流が庫内流路拡大部（S4）から剥離しにくくなり、圧力損失の低減効果を確実に得ることができる。これに対して、傾斜角度を大きくしたり（例えば４５°）、４５°の傾斜面（面取り形状）の代わりに湾曲面（Ｒ形状）を設けたりすると、空気流が庫内流路拡大部（S4）から剥離してしまい、流速低減による圧力損失の低減効果を得られなくなる。
【００４０】
また、この実施形態では、庫内流路拡大部（S4）を流れた空気が、Ｔレール（17）間の空気通路（19a）である床下流路（19a）に流入し、庫内へ供給されていく。そして、庫内流路拡大部（S4）が、コンテナ本体（1）の庫内に設けられているＴレール（17）間の空気通路（19a）に対応するように、ケーシング本体（11）の幅方向に複数に分けて設けられているので、庫内流路拡大部（S4）から上記床下流路（空気通路）（19a）への空気の流入部における圧力損失がより確実に低減される。
【００４１】
−実施形態の効果−
本実施形態によれば、庫内流路拡大部（S4）を、庫内空気流路（S3）の出口部分の断面積が空気の流れ方向に沿って庫外収納空間（S1）側へ拡がる形状にしていて、流路の断面積が徐々に大きくなるようにしているので、庫内収納空間（S2）からコンテナの庫内へ空気が流れる際の圧力損失を小さくすることができる。したがって、コンテナの本体側の構造を変えなくても、蒸発器（23）へ庫内空気を流す庫内ファンの動力が大きくなってしまうのを防止しつつ、庫内の十分な風量を稼ぐことができるから、庫内ファンに必要な動力を低減してコンテナ用冷凍装置の消費電力を抑えることが可能になる。
【００４２】
また、本実施形態によれば、庫内流路拡大部（S4）の上記ケーシング本体（11）の高さ方向への寸法（H）を、ケーシング本体（11）の奥行き方向への寸法（D）よりも大きくし、庫内流路拡大部（S4）の傾斜を空気の流れ方向に沿って緩やかにした（θを１２°にした）ことにより、空気流が庫内流路拡大部（S4）から剥離しにくくなり、圧力損失の低減効果を確実に得ることができるので、コンテナ用冷凍装置の消費電力を抑える効果をより確実に得ることができる。
【００４３】
また、本実施形態によれば、庫内流路拡大部（S4）を、コンテナ本体（1）の庫内に設けられているＴレール（17）間の空気通路（19a）に対応するように、ケーシング本体（11）の幅方向に複数に分けて設け、庫内流路拡大部（S4）から上記空気通路（19a）への空気の流入部における圧力損失を確実に低減できるようにしたことも、庫内ファンに必要な動力を低減してコンテナ用冷凍装置の消費電力を抑える効果を得ることに大きく寄与する。
【００４４】
さらに、本実施形態によれば、ケーシング本体（11）を、庫内ケーシング本体（11）と庫外ケーシング本体（11）との二重構造に形成し、庫内流路拡大部（S4）を、上記庫内ケーシング本体（11）のみに傾斜部分（11d）を設けることにより構成しているので、庫外ケーシング本体（11）の構造や、庫外収納空間（S1）に収納される機器の配置などに関して変更をする必要がなく、設計や製造に関する工数が増えるのを抑える効果も得ることができる。
【００４５】
《その他の実施形態》
上記実施形態については、以下のような構成としてもよい。
【００４６】
例えば、上記実施形態では、庫内流路拡大部（S4）の傾斜角度θを８°〜２０°の範囲で特に１２°に設定するようにしているが、傾斜角度θは上記の角度範囲に限定するものではなく、圧力損失を低減できる限りは他の角度であってもよい。
【００４７】
また、上記実施形態では、ケーシング本体（11）を二重構造とし、庫内ケーシング（11a）のみに傾斜部分（11d）を設けるようにしているが、ケーシング本体（11）は二重構造に限らないし、二重構造の場合でも庫内ケーシング（11a）と庫外ケーシング（11b）の両方を傾斜させる構造にして庫内流路拡大部（S4）を設けてもよい。
【００４８】
また、上記実施形態では、Ｔレール（17）のフランジ部（17a）によりケーシング本体（11）の床板（19）を形成するようにしているが、Ｔレールを用いずに床板（19）を形成するようにしてもよい。
【００４９】
なお、以上の実施形態は、本質的に好ましい例示であって、本発明、その適用物、あるいはその用途の範囲を制限することを意図するものではない。
【産業上の利用可能性】
【００５０】
以上説明したように、本発明は、コンテナ用冷凍装置で冷却した空気をコンテナ本体の庫内空間へ供給する通路において圧力損失を低減する技術について有用である。
【符号の説明】
【００５１】
1     コンテナ本体
10    コンテナ用冷凍装置
11    ケーシング本体
11a   庫内ケーシング
11b   庫外ケーシング
11d   傾斜部分
14    仕切板
17    Ｔレール
19a   床下流路（空気通路）
S1    庫外収納空間
S2    庫内収納空間
S3    庫内空気流路
S4    庫内流路拡大部
【図１】
0006720529.tif 000002
【図２】
0006720529.tif 000003
【図３】
0006720529.tif 000004
【図４】
0006720529.tif 000005
【図５】
0006720529.tif 000006
【図６】
0006720529.tif 000007
【図７】
0006720529.tif 000008
【図８】
0006720529.tif 000009